(57)【要約】      （修正有）【課題】狭い空間、特に車内にふさわしい、使い勝手の良いティッシュペーパーホルダーを提供する。【解決手段】上面は解放された箱型で、両側辺と奥辺は携帯しやすいよう小型化されたティッシュペーパー４のほぼ束の長さの固定壁を設け、手前の辺の中央にはティッシュペーパー４を１枚ずつ取り出すための開口部１ａを設けたティッシュペーパー収納容器１と該容器の側面または後方に上面は解放された箱型で、前記ティッシュペーパー収納容器１とほぼ同じ外形寸法の前の辺の上部に切欠２ａを設けたティッシュペーパーくず入れ容器受け２を一体又は接合して設け、上面は解放された箱型で、底に孔を設けた使用後のティッシュペーパーを入れるティッシュペーパーくず入れ容器３をティッシュペーパーくず入れ容器受け２に内設し、ティッシュペーパー４を収納するティッシュペーパー収納容器１とティッシュペーパーくず入れ容器受け２を固定する。【選択図】図１
0003188413.tif 000002
【実用新案登録請求の範囲】
【請求項１】
上面は解放された箱型で、両側辺と奥辺は携帯しやすいように小型化されたティッシュペーパー４のほぼ束の長さの固定壁を設け、手前の辺の中央にはティッシュペーパー４を１枚ずつ取り出すための開口部１ａを設けたティッシュペーパー収納容器１と該容器の側面または後方に上面は解放された箱型で、前記ティッシュペーパー収納容器１とほぼ同じ外形寸法の前の辺の上部に切欠２ａを設けたティッシュペーパーくず入れ容器受け２を一体または接合して設け、上面は解放された箱型で、底に孔９を設けた使用後のティッシュペーパーを入れるティッシュペーパーくず入れ容器３をティッシュペーパーくず入れ容器受け２に内設し、ティッシュペーパー４を収納できるティッシュペーパー収納容器１とティッシュペーパーくず入れ容器受け２を固定できるように固定用の孔５または孔７またはフック６を設けたティッシュペーパーホルダー。
【考案の詳細な説明】
【技術分野】
【０００１】  この考案は、狭い空間の、主に車内で使用する小型のティッシュペーパーホルダーを保持するホルダーとティッシュペーパーくず入れ受けを一体または接合し、ティッシュペーパーくず入れがティッシュペーパーくず受けから分離、勘合できることを可能にしたものに関する。
【背景技術】
【０００２】  一般にティッシュペーパーは箱に入れられたサイズの大きいもの（サイズの例：縦２３０ｃｍ横１１５ｃｍ高さ５５ｃｍ）を使用しているが、せまい空間で使用する場合、その大きさが邪魔になることがある。狭い空間である車中で、車に乗車した人に邪魔にならず、必要な時には使い勝手の良いティッシュペーパー収納容器１と切欠２ａを設けたティッシュペーパーくず入れ容器受け２とティッシュペーパーくず入れ容器３を提供する。
【先行技術文献】
【特許文献】
【０００３】
【特許文献１】この種の従来技術としては、実開平５−４３９９５があるが、狭い空間、特に車中で使用しようとすると、占有面積が大きく固定方法も不十分である。また、外観上もおしゃれな車内のイメージダウンとなる。
【非特許文献】
【０００４】
【非特許文献１】市販の箱入りティッシュペーパーが入るサイズの布製で縫製し、装飾性を高め、そのまま空いた席において使用することもある。
【考案の概要】
【考案が解決しようとする課題】
【０００５】狭い空間、特に車内にふさわしい、占有面積が少なく、ティッシュペーパー収納容器１とティッシュペーパーくず入れ容器受け２と使用後のティッシュペーパーを入れるティッシュペーパーくず入れ容器３が運転中の車内の振動や揺れがあってもしっかり固定でき、使用するときはティッシュペーパーが容易に取り出せ、使用後のティッシュペーパーも容易にくず入れに入れることができ、くず入れが満杯になったら容易に廃棄でき、おしゃれな車内のイメージダウンにならない外観のティッシュペーパー関連グッズがなかった。また、携帯しやすいように小型にされたティッシュペーパーは街頭等で配布されるが、これらの有効活用も課題の一つである。
【課題を解決するための手段】
【０００６】  この考案は上記する課題を解決するため、請求項１での考案は上面は解放された箱型で、両側辺と奥辺は携帯しやすいように小型化されたティッシュペーパー４のほぼ束の長さの固定壁を設け、手前の辺の中央にはティッシュペーパー４を１枚ずつ取り出すための開口部１ａを設けたティッシュペーパー収納容器１と該容器の側面または後方に上面は解放された箱型で、前記ティッシュペーパー収納容器１とほぼ同じ外形寸法の前の辺の上部に切欠２ａを設けたティッシュペーパーくず入れ容器受け２を一体または接合して設け、上面は解放された箱型で、底に孔９を設けた使用後のティッシュペーパーを入れるティッシュペーパーくず入れ容器３をティッシュペーパーくず入れ容器受け２に内設し、ティッシュペーパー４を収納できるティッシュペーパー収納容器１とティッシュペーパーくず入れ容器受け２を固定できるように固定用の孔５または孔７またはフック６を設けたティッシュペーパーホルダーを提供する。
【考案の効果】
【０００７】狭い空間、特に車内において車に乗車した人に邪魔になることがない狭い占有スペースを持ち、おしゃれな車内のイメージダウンにもならず、しかも必要な時には使い勝手よくティッシュペーパーを使用することができ、使用後のティッシュペーパーは容易にくず入れに収納することができ、収納したくずを捨てたいときは、くず入れ容器ごとの取り出しが可能で容易にくず処理ができる。
【図面の簡単な説明】
【０００８】
【図１】ティッシュペーパー収納容器１とティッシュペーパーくず入れ容器受け２とティッシュペーパーくず入れ容器３とティッシュペーパー４と固定用の孔５を設けた斜視図。
【図２】ティッシュペーパー収納容器１とティッシュペーパーくず入れ容器受け２とティッシュペーパーくず入れ容器３とティッシュペーパー４と固定用のフック６を設けた斜視図。
【図３】ティッシュペーパー収納容器１とティッシュペーパーくず入れ容器受け２とティッシュペーパーくず入れ容器３とティッシュペーパー４と固定用の孔７を設けた斜視図。
【図４】ティッシュペーパー収納容器１の後方にティッシュペーパーくず入れ容器受け２とティッシュペーパーくず入れ容器３と固定用の孔５を設けた斜視図。
【図５】運転席横のダッシュボックス蓋にティッシュペーパー収納容器１とティッシュペーパーくず入れ容器受け２とティッシュペーパーくず入れ容器３とティッシュペーパー４とを固定用の孔５を使用しねじで固定した斜視図。
【図６】シートバックの裏側のポケット８上部にフック６を差し込み、ティッシュペーパー収納容器１とティッシュペーパーくず入れ容器受け２とティッシュペーパーくず入れ容器３とティッシュペーパー４を設けた斜視図。
【図７】孔７にヘッドレストの支持アームを挿入し、ティッシュペーパー収納容器１とティッシュペーパーくず入れ容器受け２とティッシュペーパーくず入れ容器３とティッシュペーパー４を設けた斜視図。
【図８】ティッシュペーパーくず入れ容器３の底部に孔９を設けた斜視図。
【考案を実施するための考案】
【０００９】  以下に図示の実施例に基づいて本考案をさらに詳細に説明する。
【実施例】
【００１０】  図１は本考案の第１実施例に基づく斜視図である。合成樹脂成型加工のティッシュペーパー取り出し用開口部１ａを設けたティッシュペーパー収納容器１とティッシュペーパーくず入れ容器３を指でつまみ上げやすいように切欠２ａを設けたティッシュペーパーくず入れ容器受け２を接着し、固定用の孔５を両端にあけた合成樹脂成型加工の平板を接着した。押し込めたくずを廃棄する際、くずを容器から押し出し易いように底面に孔９をあけた合成樹脂成型加工のティッシュペーパーくず入れ容器３をティッシュペーパーくず入れ容器受け２に内接している。ティッシュペーパー４は街頭で配られる袋に入った小型のものでもよく、袋に入っていないものでもよい。実施例は接着構成であるが、一体に合成樹脂成型加工したものでもよく、各稜に丸みを持たせ柔らかなデザインに仕上げてもよい。また、車内の内装の色と合わせ、より違和感がないようにしてもよい。【００１１】図２は本考案の第２実施例に基づく斜視図である。固定用孔５（平板含む）以外は図１と同様の構成であるが、固定用にフック６を接着した。【００１２】図３は本考案の第３実施例に基づく斜視図である。固定用孔５（平板含む）以外は図１と同様の構成であるが、固定用にヘッドレストの支持アームを挿入できる合成樹脂成型加工のＬ字型板に孔７を開けたものを接着した。実施例は接着構成であるが、一体に合成樹脂成型加工してもよい。【００１３】図４は本考案の第４実施例に基づく斜視図である。前面に合成樹脂成型加工のティッシュペーパー取り出し用開口部１ａを設け、後ろ面に切欠２ａを設けたティッシュペーパー収納容器１の後方にティッシュペーパーくず入れ容器３を指でつまみ上げやすいように切欠２ａを設けた合成樹脂成型加工のティッシュペーパーくず入れ容器受け２とを接着し、固定用の孔５を両端にあけた合成樹脂成型加工の平板を接着した。ティッシュペーパーくず入れ容器受け２にティッシュペーパーくず入れ容器３を内設した。【００１４】図５は本考案の図１を運転席横のダッシュボックスの蓋に固定した際の斜視図である。【００１５】図６は本考案の図２をシートバック裏側のポケット上部にフック６を差し込んで固定した斜視図である。【００１６】図７は本考案の図３の孔７にヘッドレスト支持アームを挿入して固定した時の斜視図である。
【産業上の利用可能性】
【００１７】狭い空間で、特に車内において占有面積の少ない本考案を使用することができ、乗車した人に邪魔にならない。
【符号の説明】
【００１８】１    ティッシュペーパー収納容器
１ａ  開口部
２    ティッシュペーパーくず入れ容器受け
２ａ  切欠
３    ティッシュペーパーくず入れ容器
４    ティッシュペーパー
５    固定用孔
６    フック
７    固定用孔
８    ポケット
９    孔
【図１】
0003188413.tif 000003
【図２】
0003188413.tif 000004
【図３】
0003188413.tif 000005
【図４】
0003188413.tif 000006
【図５】
0003188413.tif 000007
【図６】
0003188413.tif 000008
【図７】
0003188413.tif 000009
【図８】
0003188413.tif 000010